(57)【要約】【課題】コストアップすることなく、静電ノイズ、電源ラインノイズ等の外来ノイズの耐量を上昇させ、放射ノイズを軽減することが可能な光出射装置及び画像形成装置を提供する。【解決手段】レーザスキャナユニットを画像形成装置本体の所望の位置に固定・保持するための保持用部材１０５と、画像形成装置全体の制御を行うエンジン制御部とレーザスキャナユニットとの間の電気的信号を接続する配線手段１０６，１０７，１０８とを備え、レーザスキャナユニットを保持するための保持用部材１０５は導電性部材であり、且つ接地され、配線手段１０６，１０７，１０８が、保持用部材１０５に密着するようにレーザスキャナユニットとの間に挟みこまれる。【選択図】　図１
2004045822.tif 000002
【特許請求の範囲】
【請求項１】
静電潜像を感光手段に形成するためのレーザ光を発光する発光手段、前記レーザ光を反射し前記感光手段を走査する為のポリゴンミラー、前記ポリゴンミラーを回転させる駆動手段、及び、前記ポリゴンミラーの回転速度を検出するために前記ポリゴンミラーからの反射光を検出する光検出手段とを備えるレーザスキャナユニットと、
前記レーザスキャナユニットを画像形成装置本体の所望の位置に固定・保持するための保持手段と、
画像形成装置の制御を行うエンジン制御手段と前記レーザスキャナユニットとの間の電気的信号を接続する配線手段とを備え、
前記レーザスキャナユニットを保持するための前記保持手段は導電性部材であり、且つ接地され、
前記配線手段が、前記保持手段に密着するように前記レーザスキャナユニットと保持手段との間に挟みこまれることを特徴とする光出射装置。
【請求項２】
前記配線手段は、
前記発光手段の発光制御手段と前記エンジン制御手段とを接続する第１の配線手段と、
前記駆動手段と前記エンジン制御手段とを接続する第２の配線手段と、
前記光検出手段と前記エンジン制御手段とを接続する第３の配線手段とのうちの少なくともいずれか１つを含むことを特徴とする請求項１に記載の光出射装置。
【請求項３】
前記配線手段としてフラットケーブルを用いたことを特徴とする請求項１又は２に記載の光出射装置。
【請求項４】
上記請求項１から３のいずれか１項に記載の光出射装置から出力された光により静電潜像が形成される感光手段と、
該感光手段に形成された潜像に基づいてシート材に画像を形成する画像形成手段とを備えることを特徴とする画像形成装置。
【発明の詳細な説明】
【０００１】
【発明の属する技術分野】
本発明は光出射装置及びこのような光出射装置を備える画像形成装置に関し、特に好適には、レーザスキャナユニットとエンジン制御手段との間の電気的信号を配線手段により接続する光出射装置及び画像形成装置に関するものである。
【０００２】
【従来の技術】
従来の画像形成装置について図４を参照して説明する。図４は、従来の画像形成装置（レーザビームプリンタ）の模式的断面図である。図４に示される各部品の配置などは適宜変更しうる。また、図４に示される部品以外の部品も画像形成装置の部品として使用する場合がある。
【０００３】
図４において、２００は画像形成を行うエンジン部であり、２０１はコントローラ部２０２からの制御信号に応じて画像形成を行うエンジン制御部であり、２０２はＰＣからの画像データの処理を行い、エンジン制御部２０１に画像データ、エンジン動作に対する制御信号を送るコントローラ部である。
【０００４】
コントローラ部２０２から送出された画像データは、レーザ制御部２０３に送出され、レーザ制御部２０３は画像データに応じて半導体レーザ２０４のＯＮ／ＯＦＦ制御を行う。
【０００５】
半導体レーザ２０４からされたレーザ光２０５は図示しない駆動回路によって回転するポリゴンミラー２０６により反射されて感光手段２０８の長手方向の走査光となり、ミラー２０７を介して感光手段２０８上に投影される。
【０００６】
また、この時、図示しないフォトダイオード等の光検出手段によってポリゴンミラー２０６からの反射光を検出することでレーザ走査開始位置を規定するための副走査方向同期信号を生成する。
【０００７】
感光手段２０８は矢印方向に回転し、帯電手段２０９により表面が均一に帯電された後、レーザ光２０５のＯＮ／ＯＦＦに応じた露光を受けて、表面に静電潜像が形成される。
【０００８】
その後、現像手段２１０により着色荷電粒子（以後、トナーと称する）が付与され、顕像が得られた後、転写手段２１１により記録媒体上に顕像が移しとられる。
【０００９】
感光ドラム２０８の表面の転写残りトナーは、クリーニング手段２１２により払い拭われ、感光ドラム２０８は次の画像形成工程に備える。
【００１０】
一方、未定着トナー像がのった記録媒体は、定着手段２１３によって加熱・加圧され、記録媒体上に永久定着される。永久定着像が得られた後、記録媒体は最終プリントとして図中の矢印方向に従って機外に排出される。
【００１１】
なお、図中の矢印は、給紙カセット２１７から取り出されて搬送される記録媒体の搬送軌跡を示し、記録媒体は搬送路上に設置された各搬送ローラ対及び搬送手段等により搬送される。
【００１２】
図５は、レーザビームプリンタ等の従来の画像形成装置の各機能部のうち、コントローラから受けた画像データを感光手段へ投影させる機能を具備するレーザスキャナユニットの（外観図）であり、図６は、図５に示されるレーザスキャナユニットの断面図である。
【００１３】
３０１は、図４に示されるレーザ制御部２０３に対応するレーザ光の射出制御基板、３０６はレーザ光射出制御基板３０１とエンジン制御部２０１とを電気的に接続する配線手段である。
【００１４】
また、３０２はポリゴンミラー、３０３はポリゴンミラー駆動回路基板、３０７はポリゴンミラー駆動回路基板３０３とエンジン制御部２０１とを電気的に接続する配線手段である。
【００１５】
また、３０４はポリゴンミラー３０２からの反射光を検出する光検出手段、３０８は光検出手段３０４とエンジン制御部２０１とを電気的に接続する配線手段である。
【００１６】
また、３０５はレーザスキャナユニットを規定の位置に固定・保持する保持用部材である。
【００１７】
従来、配線手段３０６，３０７，３０８は図５又は図６のようにレーザスキャナユニットから見て保持用部材３０５とは逆側（図５の中ではレーザスキャナユニットの上方）を経由する構成であり、保持用部材３０５と密着していない。
【００１８】
【発明が解決しようとする課題】
近年、レーザビームプリンタ等の画像形成装置は、高速搬送、高精細画像化が著しく進んでいる。このため、後述するように高価な対策を実施する必要性が増加している。
【００１９】
コントローラから送出される画像データの周波数は著しく上昇するため、画像データを伝送する配線手段から放射される電磁界ノイズは増加してしまう。
【００２０】
この放射ノイズの対策には配線手段に対してフェライトコア付加、導電性部材追加によるシールド、又は回路基板上でフィルタ回路の追加が施されていた。
【００２１】
ポリゴンミラーの回転速度は上昇し、駆動回路の駆動周波数、駆動電流は著しく増加するため、駆動回路の制御信号、電源、グランドラインから放射される電磁界ノイズは増加してしまう。
【００２２】
この放射ノイズの対策には配線手段に対してフェライトコア付加、導電性部材追加によるシールド、又は回路基板上でフィルタ回路の追加が施されていた。
【００２３】
また、ポリゴンミラーの回転速度上昇に伴い、画像副走査方向の同期信号も周期が短くなり、且つ高精度が要求されるため、静電ノイズ、電源ラインノイズ等の外来ノイズに対してのフィルタ定数選定が困難になり、配線手段に対してもシールド部材追加等が必要になっていた。
【００２４】
本発明は上記事情に鑑みなされたもので、コストアップすることなく、静電ノイズ、電源ラインノイズ等の外来ノイズの耐量を上昇させ、放射ノイズを軽減することが可能な光出射装置及び画像形成装置を提供することを目的とする。
【００２５】
【課題を解決するための手段】
上記目的を達成するために、本発明に係る光出射装置は、静電潜像を感光手段に形成するためのレーザ光を発光する発光手段、前記レーザ光を反射し前記感光手段を走査する為のポリゴンミラー、前記ポリゴンミラーを回転させる駆動手段、及び、前記ポリゴンミラーの回転速度を検出するために前記ポリゴンミラーからの反射光を検出する光検出手段とを備えるレーザスキャナユニットと、前記レーザスキャナユニットを画像形成装置本体の所望の位置に固定・保持するための保持手段と、画像形成装置の制御を行うエンジン制御手段と前記レーザスキャナユニットとの間の電気的信号を接続する配線手段とを備え、前記レーザスキャナユニットを保持するための前記保持手段は導電性部材であり、且つ接地され、前記配線手段が、前記保持手段に密着するように前記レーザスキャナユニットと保持手段との間に挟みこまれることを特徴とする。
【００２６】
また、本発明に係る光出射装置は、前記配線手段は、前記発光手段の発光制御手段と前記エンジン制御手段とを接続する第１の配線手段と、前記駆動手段と前記エンジン制御手段とを接続する第２の配線手段と、前記光検出手段と前記エンジン制御手段とを接続する第３の配線手段とのうちの少なくともいずれか１つを含むことを特徴とする。
【００２７】
また、本発明に係る光出射装置は、前記配線手段としてフラットケーブルを用いたことを特徴とする。
【００２８】
さらに、本発明に係る画像形成装置は、上記光出射装置から出力された光により静電潜像が形成される感光手段と、該感光手段に形成された潜像に基づいてシート材に画像を形成する画像形成手段とを備えることを特徴とする。
【００２９】
このように、本発明では、レーザスキャナユニットを保持する保持手段に導電性部材を用い、且つこの保持手段を低インピーダンスで接地し、レーザスキャナユニットの各機能部とエンジン制御手段とを電気的に接続する配線手段のうち少なくとも１つの配線手段を、導電性の保持手段の上に配置し、この配線手段を導電性の保持手段とレーザスキャナユニットで挟むことでこの配線手段を導電性の保持手段に密着させるように構成する。
【００３０】
ここで、上記画像形成手段とは、例えば後述する本実施形態の場合では、現像手段２１０（図４）を一例として挙げることができる。
【００３１】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００３２】
また、以下の図面において、前述の従来技術の説明で用いた図面に記載された部品、及び既述の図面に記載された部品と同様の部品には同じ番号を付す。また、以下に説明する本発明に係る画像形成装置の一実施形態の説明は、本発明に係る光出射装置の一実施形態の説明を兼ねる。
【００３３】
（画像形成装置の一実施形態）
本発明に係る画像形成装置の一実施形態について説明する。本発明に係る画像形成装置の一実施形態においてレーザスキャナユニットの部分を除いた機能・構成は、図４、図５及び図６を用いて説明した従来例と同様である。したがって、以下の説明では主に、図４、図５及び図６に示される従来例と異なる部分について説明する。
【００３４】
図１は、本発明に係る画像形成装置の一実施形態が備えるレーザスキャナユニットの外観図であり、図２は、図１に示されるレーザスキャナユニットの断面図である。このレーザスキャナユニットは、保持用部材１０５、配線手段１０６，１０７及び１０８とともに本発明に係る光出射装置の一実施形態の構成要素となる。
【００３５】
本実施形態のレーザスキャナユニットに具備される各機能は従来例と同様であり、１０１は、図４におけるレーザ制御部２０３に対応するレーザ光射出制御基板、１０１ａは、図４における半導体レーザ２０４に対応するレーザ光射出制御基板１０１の制御によりレーザ光の発光が制御されるレーザ光発光部、１０２はポリゴンミラー、１０３はポリゴンミラー駆動回路基板、１０４はポリゴンミラーからの反射光を検出する光検出手段である。
【００３６】
本実施形態においては、レーザスキャナユニットを規定の位置に固定・保持する保持用部材１０５は導電性であり且つ低インピーダンスで接地されている。
【００３７】
また、レーザ光射出制御基板１０１とエンジン制御部２０１とを電気的に接続する配線手段１０６、ポリゴンミラー駆動回路基板１０３とエンジン制御部２０１とを電気的に接続する配線手段１０７、光検出手段１０４とエンジン制御部２０１とを電気的に接続する配線手段１０８のうち１個以上の配線手段は、保持用部材１０５とレーザスキャナユニットによって挟まれ、両方に密着している。レーザスキャナユニットは、例えばレーザスキャナユニット外装箱により、保持用部材１０５とレーザスキャナユニットとの間に配線手段を挟むとして良い。
【００３８】
次に、図３を参照して本発明に係る画像形成装置の一実施形態における配線手段と保持手段間の構造について説明する。図３は、本発明に係る画像形成装置の一実施形態における配線手段と保持用部材との構造を示す断面図である。
【００３９】
図３において、１０９及び１１０はフラットケーブルの断面の部分であり、１０９は被膜、１１０は芯線である。
【００４０】
本実施形態では、以下に説明するように、配線手段１０６、配線手段１０７及び配線手段１０８を保持用部材１０５とレーザスキャナユニットとの間に挟み込んで密着させることで信号線や電源グランドとフレームグランドを空間で容量結合させている。
【００４１】
レーザ光射出制御基板１０１とエンジン制御部２０１とを電気的に接続する配線手段１０６が、レーザスキャナユニットの保持用部材１０５に密着した構成の場合、図３に示されるように、高周波の画像データ信号ライン（図３に示される芯線１１０）と保持用部材１０５とが容量結合する。
【００４２】
この容量結合により、画像データの内容を損なわない程度に波形を安定してなまらせることができる。
【００４３】
そのため、電磁界放射ノイズレベルを低減し、且つ、レーザスキャナユニット保持用部材自体がシールド部材となり、画像データ信号ラインからの電磁界放射ノイズを遮断し、且つ静電ノイズ、電源ラインノイズ等の外来ノイズの侵入を防ぎ、画像データの欠損、レーザ光射出制御基板の誤動作・破壊を防止することができる。
【００４４】
また、ポリゴンミラー駆動回路基板１０３とエンジン制御部２０１とを電気的に接続する配線手段１０７が、レーザスキャナユニットの保持用部材１０５に密着した構成の場合、図３に示されるように、大電流が流れる電源・グランドライン（図３に示される芯線１１０）と保持用部材１０５、高周波の制御信号と保持用部材１０５とが容量結合することで、波形を安定してなまらせることができる。
【００４５】
そのため、電磁界放射ノイズレベルを低減し、且つ、レーザスキャナユニット保持用部材自体がシールド部材となり、電源・グランドライン、制御信号ラインからの電磁界放射ノイズを遮断し、且つ静電ノイズ、電源ラインノイズ等の外来ノイズの侵入を防ぎ、ポリゴンミラー駆動回路の誤動作・破壊を防止することができる。
【００４６】
また、光検出手段１０４とエンジン制御部２０１とを電気的に接続する配線手段１０８が、レーザスキャナユニットの保持用部材１０５に密着した構成の場合、図３に示されるように、光検出手段１０４に供給される電源・グランドライン（図３に示される芯線１１０）と保持用部材１０５、高周波の画像副走査方向の同期信号である光検出応答信号と保持用部材１０５とが容量結合する。
【００４７】
このように容量結合することで、波形を安定してなまらせることができるため、電磁界放射ノイズレベルを低減し、且つ、レーザスキャナユニット保持用部材自体がシールド部材となり、静電ノイズ、電源ラインノイズ等の外来ノイズの侵入を防ぎ、画像同期信号の欠損、光検出手段の誤動作・破壊を防止することができる。
【００４８】
ここで、本発明に係る画像形成装置の一実施形態では、配線手段１０６，１０７，１０８は１本ずつ独立したバラ電線でも効果を得ることができるが、配線手段１０６，１０７，１０８のうち少なくともいずれか１つにフラットケーブルを使用することで、保持用部材１０５と配線手段１０６，１０７，１０８の密着度、効果の安定度は向上し、距離が短くなるため上記効果は更に向上する。
【００４９】
【発明の効果】
以上説明したように、本発明によれば、新たに部品を追加することなく、コストアップを回避して、後述のうち少なくとも１つの効果を得ることができる。
【００５０】
まず、コントローラから送出される高周波の画像データを伝送する配線手段からの電磁界放射ノイズを低減することができる。
【００５１】
また、コントローラから送出される高周波の画像データを伝送する配線手段への静電ノイズ、電源ラインノイズ等の外来ノイズの侵入を防ぎ、画像データの欠損、レーザ光射出制御基板の誤動作・破壊を防止することができる。
【００５２】
また、ポリゴンミラーの駆動手段へ送出される制御信号、電源、グランドを伝送する配線手段からの電磁界放射ノイズを低減することができる。
【００５３】
また、ポリゴンミラーの駆動手段へ送出される制御信号、電源、グランドを伝送する配線手段への静電ノイズ、電源ラインノイズ等の外来ノイズの侵入を防ぎ、ポリゴンミラーの駆動手段の誤動作・破壊を防止することができる。
【００５４】
また、短周期化された画像副走査方向の同期信号を伝送する配線手段への静電ノイズ、電源ラインノイズ等の外来ノイズの侵入を防ぎ、画像同期信号の欠損、光検出手段の誤動作・破壊を防止することができる。
【図面の簡単な説明】
【図１】本発明に係る画像形成装置の一実施形態が備えるレーザスキャナユニットの外観図である。
【図２】図１に示されるレーザスキャナユニットの断面図である。
【図３】本発明に係る画像形成装置の一実施形態における配線手段と保持用部材との構造を示す断面図である。
【図４】従来の画像形成装置（レーザビームプリンタ）の模式的断面図である。
【図５】レーザビームプリンタ等の従来の画像形成装置の各機能部のうち、コントローラから受けた画像データを感光手段へ投影させる機能を具備するレーザスキャナユニットの（外観図）である。
【図６】図５に示されるレーザスキャナユニットの断面図である。
【符号の説明】
１０１　レーザ光射出制御基板
１０１ａ　レーザ光発光部
１０２　ポリゴンミラー
１０３　ポリゴンミラー駆動回路基板
１０４　光検出手段
１０５　保持用部材
１０６　レーザ光射出制御基板とエンジン制御部を電気的に接続する配線手段
１０７　ポリゴンミラー駆動回路基板とエンジン制御部を電気的に接続する配線手段
１０８　光検出手段とエンジン制御部を電気的に接続する配線手段
１０９　被膜
１１０　芯線
２００　エンジン部
２０１　エンジン制御部
２０２　コントローラ部
２０３　レーザ制御部
２０４　半導体レーザ
２０５　レーザ光
２０６　ポリゴンミラー
２０７　ミラー
２０８　感光手段
２０９　帯電手段
２１０　現像手段
２１１　転写手段
２１２　クリーニング手段
２１３　定着器
２１４　定着ローラ
２１５　ヒータ
２１６　加圧ローラ
２１７　給紙カセット
３０１　レーザ光射出制御基板
３０２　ポリゴンミラー
３０３　ポリゴンミラー駆動回路基板
３０４　光検出手段
３０５　レーザスキャナユニット保持用部材
３０６　レーザ光射出制御基板とエンジン制御部を電気的に接続する配線手段
３０７　ポリゴンミラー駆動回路基板とエンジン制御部を電気的に接続する配線手段
３０８　光検出手段とエンジン制御部を電気的に接続する配線手段
【図１】
2004045822.tif 000003
【図２】
2004045822.tif 000004
【図３】
2004045822.tif 000005
【図４】
2004045822.tif 000006
【図５】
2004045822.tif 000007
【図６】
2004045822.tif 000008